(57)【特許請求の範囲】
【請求項１】
自動販売機投入金額表示器または自動販売機内部に設けられた管理用データ表示器と、
最適回数表示と固定回数表示とを選択する選択手段と、
該選択手段により最適回数表示が選択された場合は、表示すべきデータの桁数が表示器の表示可能桁数を超えるとき、該データの文字列を複数組に分割して複数回に分けて前記表示器に表示させ、表示すべきデータの桁数が表示器の表示可能桁数以下のとき、該データを１回で前記表示器に表示させ、前記選択手段により固定回数表示が選択された場合は、データをデータ種別毎に予め設定された所定の回数に分けて前記表示器に表示させる表示制御手段
とを具えたことを特徴とする自動販売機の表示装置。
【請求項２】
自動販売機投入金額表示器または自動販売機内部に設けられた管理用データ表示器と、
最適回数表示と１回固定表示とを選択する選択手段と、
該選択手段により最適回数表示が選択された場合は、表示すべきデータの桁数が表示器の表示可能桁数を超えるとき、該データの文字列を複数組に分割し、複数回に分けて前記表示器に表示させ、表示すべきデータの桁数が表示器の表示可能桁数以下のとき、該データを１回で前記表示器に表示させ、前記選択手段により１回固定表示が選択された場合は、データを１回で前記表示器に表示させるが、表示させたデータの桁数が前記表示器の表示可能桁数を超えている場合は、桁数が超えていることを表示させる表示制御手段
とを具えたことを特徴とする自動販売機の表示装置。
【発明の詳細な説明】
【０００１】
【発明の属する技術分野】
本発明は、自動販売機の売上集計データ等を表示するための表示装置に関するものである。
【０００２】
【従来の技術】
図４は、自動販売機の一例を示す図である。図４において、１はデータ設定・確認装置、５は自動販売機、６は自動販売機５のドア、７は金額表示器である。データ設定・確認装置１は、販売価格等の各種データの設定や売上集計データ等の確認を行うため、キーボードと表示器を有している。また、金額表示器７は、自動販売機５に投入された金額を表示する。
【０００３】
近年、自動販売機５の管理運用は、益々細かくなっている。それに伴って、ルートマンが自動販売機５のデータを確認する機会が増え、その作業にかかる時間が問題になってきた。また個々のデータの桁数が大きくなっている反面、それを表示する表示装置は、コスト削減のため、金額表示器７を兼用するようにしてデータ設定・確認装置１の表示器を省略するようにしたり、データ設定・確認装置１に表示器を付けるにしても、その表示桁数を最小限にするなど貧弱になってきた。
【０００４】
そこで、売上集計データ等、そのデータの最大記憶桁数が表示装置の表示桁数より大きい場合は、データの実際の桁数がいくつであるかに関わらず、１つのデータを常に上位の桁と下位の桁に分割し、それらを２回に分けて交互に表示するようにしていた。
【０００５】
【発明が解決しようとする課題】
しかしながら、実際の売上数は、ほとんどの場合最大記憶桁数より少く、１回で表示できるにも関わらず、前記した従来の技術では、常に２回に分けて表示を行うため、表示データの読み間違いをし易く、表示に要する時間も長くかかってしまうという問題点があった。
【０００６】
本発明は、そのような問題点を解決し、１回で表示できるデータは、１回で表示させるようにして、表示の読み間違いを少なくすると共に、表示に要する時間を短縮することを課題とするものである。さらに、最適回数表示と固定回数表示または最適回数表示と１回固定表示とを選択できるようにして、最も読み取り易い表示方法を、売上状況等に応じて適宜選択できるようにすることを課題とするものである。
【０００７】
【課題を解決するための手段】
前記課題を解決するため、本発明の自動販売機の表示装置では、自動販売機投入金額表示器または自動販売機内部に設けられた管理用データ表示器と、最適回数表示と固定回数表示とを選択する選択手段と、該選択手段により最適回数表示が選択された場合は、表示すべきデータの桁数が表示器の表示可能桁数を超えるとき、該データの文字列を複数組に分割して複数回に分けて前記表示器に表示させ、表示すべきデータの桁数が表示器の表示可能桁数以下のとき、該データを１回で前記表示器に表示させ、前記選択手段により固定回数表示が選択された場合は、データをデータ種別毎に予め設定された所定の回数に分けて前記表示器に表示させる表示制御手段とを具えることとした。
【０００８】
また、自動販売機投入金額表示器または自動販売機内部に設けられた管理用データ表示器と、最適回数表示と１回固定表示とを選択する選択手段と、該選択手段により最適回数表示が選択された場合は、表示すべきデータの桁数が表示器の表示可能桁数を超えるとき、該データの文字列を複数組に分割して複数回に分けて前記表示器に表示させ、表示すべきデータの桁数が表示器の表示可能桁数以下のとき、該データを１回で前記表示器に表示させ、前記選択手段により１回固定表示が選択された場合は、データを１回で前記表示器に表示させるが、表示させたデータの桁数が前記表示器の表示可能桁数を超えている場合は、桁数が超えていることを表示させる表示制御手段とを具えることとした。
【０００９】
【発明の実施の形態】
以下、本発明の実施の形態を図面に基づいて詳細に説明する。
図１は、データ設定・確認装置の一例を示す図である。符号１は、図４のものに対応し、２は表示器、３は売上キー、４は終了キーである。
【００１０】
表示器２は、コスト削減のため表示桁数が４桁と少なくされているものとする。データ設定・確認装置１のキーとしては、売上キー３，終了キー４等の操作キーの他に数値データ入力用のテンキーを具えている。また、データ設定・確認装置１は、ＣＰＵ(Central Processing Unit) とＲＡＭ(Random Access Memory)，ＲＯＭ(Read Only Memory)より成る記憶装置を有しており、売上集計データ等の各種データを管理・保持している。
【００１１】
それらの各種データは、指令により表示器２に表示されるが、表示器２の表示桁数は４桁であるのに対して、表示されるデータは、多くの場合、それより大きい桁まで上記記憶装置に保持される。そのように表示器２の表示桁数より大きい桁数のデータは、表示器２に１度に表示することができない。それに対して、従来は、表示器２の表示桁数より大きい桁まで上記記憶装置に保持される表示器２に２回に分けて表示させるようにしていた。しかし、前述したように、記憶装置には、表示器２の表示桁数より大きな桁数が確保されていても、実際のデータはその桁数を全部使っているとは限らず、むしろ、表示器２の表示桁数以内で済んでいる場合の方が多くて、従来のようにすると、表示に要する時間を無駄に長くすることになる。
【００１２】
そこで、表示すべきデータの実際の桁数を調べ、その桁数が表示器の表示可能桁数以下のとき、該データを１回で前記表示器に表示させ、表示すべきデータの桁数が表示器の表示可能桁数を超えるときだけ、該データを上位桁と下位桁とに分割して２回に分けて前記表示器に表示させるようにした。
【００１３】
ただ、そのようにすると、売上が多くほとんどの商品の売上数が４桁を超えるような自動販売機では、ほとんどの商品は売上数が多いため２回表示をし、たまに売上数の少ない商品があって１回表示が入るというようなことになる。そのようなことになると紛らわしくなって、却って読み間違い等が発生し易くなる。そこで、上記機能を使用するかしないかをユーザが選択できるようにする。
【００１４】
なお、上記機能を使用した表示を「最適回数表示」、上記機能を使用しない表示、すなわち、従来のように表示すべきデータを記憶するデータ記憶手段の最大記憶桁数が表示器の表示可能桁数を超えるとき、常に、該データを上位桁と下位桁とに分割して２回に分けて行う表示を、「固定回数表示」と呼ぶことにする。
【００１５】
ここで、表示例を図２に示す。例えば、表示すべきデータの前記記憶装置における最大記憶桁数が６桁で、実際のデータは、４桁の「１２３４」の場合、従来のような固定回数表示では、まず、上位桁であることを示すマーク「＊」を表示するが、データに５桁目以上の上位の桁がないため、それ以外のデータ表示はなく、次に「１２３４」を表示する。それに対して、最適回数表示では、１回で「１２３４」を表示する。
【００１６】
また、表示すべきデータの前記記憶装置における最大記憶桁数が６桁で、実際のデータは、５桁の「１２３４５」の場合、固定回数表示では、まず、マーク「＊」と共に、上位桁の「１」を表示し、次に下位桁の「２３４５」を表示する。この場合は、最適回数表示でも、同様となる。そしてまた、表示すべきデータの前記記憶装置における最大記憶桁数が４桁で、実際のデータも、４桁の「１２３４」の場合、固定回数表示，最適回数表示共、１回で「１２３４」を表示する。
【００１７】
次に、売上集計データを表示する場合を例にして、本発明の自動販売機の表示装置における表示処理の手順を説明する。図３は、売上集計データの表示処理手順を示すフローチャートである。
ステップ１…売上キー３（図１）が押されたか否かを判別する。
ステップ２…押されたら、最適回数表示が選択されているか否かを判別する。
ステップ３…最適回数表示が選択されていたら、変数ｎに、表示すべきデータの実際の桁数をセットする。
ステップ４…ステップ２で最適回数表示が選択されていなかったら、変数ｎに、表示すべきデータが記憶されている記憶装置の最大記憶桁数をセットする。
【００１８】
ステップ５…ｎが表示装置の表示可能桁数より大であるか否かを判別する。
ステップ６…大であれば、表示データを２回に分けて表示する。
ステップ７…ステップ５で表示装置の表示可能桁数より大でなかったら、表示データを１回で表示する。
ステップ８…終了キー４（図１）が押されたか否かを判別する。
ステップ９…押されたら、表示を消す。
【００１９】
なお、上記実施形態では、表示器２の表示桁数より大きい桁数のデータは、該データを上位桁と下位桁とに２分割して２回に分けて前記表示器に表示させるようにしたが、さらにデータの桁数が多い場合は、３以上に分割して３回以上に分けて表示させることもできる。
【００２０】
また、上記実施形態では、固定回数表示が選択された場合は、データ種別毎の最大記憶桁数に基づいて、表示器に何回で表示させるかを決めるようにしたが、全てのデータを最大記憶桁数にも関係なく原則１回で表示させる１回固定表示を選択できるようにしてもよい。ただし、そのような１回固定表示においては、表示させたデータの桁数が表示器の表示可能桁数を超えている場合は、表示を点滅させる等してそのことを知らせる必要がある。そして、そのような点滅表示があったら、所定のボタンを押す等の操作をすることより、残りの桁を表示させるようにする。
【００２１】
【発明の効果】
以上述べた如く、本発明の自動販売機の表示装置によれば、最適回数表示として、データの実際の桁数を調べて、１回で表示できるデータは、１回で表示させるようにしたため、表示データの読み間違いを少なくすると共に、表示に要する時間を短縮することができる。さらに、最適回数表示と固定回数表示または最適回数表示と１回固定表示とを選択できるようにしたので、最も読み取り易い表示方法を、売上状況等に応じて適宜選択できるようになる。
【図面の簡単な説明】
【図１】  データ設定・確認装置の一例を示す図
【図２】  表示装置の表示例を示す図
【図３】  売上集計データの表示処理手順を示すフローチャート
【図４】  自動販売機の一例を示す図
【符号の説明】
１…データ設定・確認装置
２…表示器
３…売上キー
４…終了キー
５…自動販売機
６…ドア
７…金額表示器
【図１】
0003684640.tif 000002
【図２】
0003684640.tif 000003
【図３】
0003684640.tif 000004
【図４】
0003684640.tif 000005